(57)【特許請求の範囲】
【請求項１】
略水平に配置した棒状体と、この棒状体を支持する剛的に形態維持可能で頂部にフックを有する山形のハンガー本体と、この棒状体に間隔をおいて嵌装された複数のピンチと、このピンチの間に設けられた間隔を置く手段とにより構成され、このピンチは二つの挟持体と弾力材により構成され、これらの二つの挟持体は中央近傍に設けられた支点において相互に回動可能に連結され、これらの二つの挟持体は弾力材により挟持部が閉じる方向に付勢され、これらの二つの挟持体の支点より上方には棒状体を挿入する嵌装孔が設けられ、さらにこの嵌装孔から挟持体を上方に延長して操作部を設け、この棒状体にピンチと間隔を置く手段を交互に摺動可能に嵌装させ、ピンチの両最外端を押圧して、全てのピンチを解放できることを特徴とする衣類ハンガー。
【請求項２】
請求項１の衣類ハンガーにおいて、ピンチとピンチの間の間隔を置く手段をパイプ状のスペーサーとし、操作部の長さを５ｍｍ以上としたことを特徴とする衣類ハンガー。
【請求項３】
略水平に配置した棒状体と、この棒状体を支持する剛的に形態維持可能なハンガー本体と、この棒状体に間隔をおいて嵌装された複数のピンチと、このピンチの間に設けられた間隔を置く手段とにより構成され、このピンチは二つの挟持体と弾力材により構成され、これらの二つの挟持体は中央近傍に設けられた支点において相互に回動可能に連結され、これらの二つの挟持体は弾力材により挟持部が閉じる方向に付勢され、これらの二つの挟持体の支点より上方には棒状体を挿入する嵌装孔および操作部が設けられ、この棒状体にピンチと間隔を置く手段を交互に摺動可能に嵌装させ、これらのピンチの両最外端に渡ってハンガー本体を架け渡し、このハンガー本体は第一の本体部と第二の本体部とにより構成し、第一の本体部と第二の本体部との境界は可動素子により連結し、第一の本体部の外端部には第一のピンチ押圧部を設け、第二の本体部の外端部には第二のピンチ押圧部を設け、第一の本体部の第一のピンチ押圧部と可動素子の間には第一の押圧部を設け、第二の本体部の第二のピンチ押圧部と可動素子の間には第二の押圧部を設け、第一のピンチ押圧部と第二のピンチ押圧部を棒状体の外端からピンチの最外端に嵌装した衣類ハンガーを構成し、第一の押圧部と第二の押圧部を内側に押圧することにより、第一の本体部と第二の本体部が可動素子を中心に回転し、第一のピンチ押圧部と第二のピンチ押圧部がピンチの両最外端を押圧して、全てのピンチを解放することを特徴とする衣類ハンガー。
【請求項４】
請求項１乃至3のいずれかの請求項の衣類ハンガーにおいて、衣類ハンガーの上部中央部近傍にフックから略直角に水平方向の横方向に突出する横突起を設けたことを特徴とする衣類ハンガー。
【請求項５】
略水平に配置した棒状体と、この棒状体を支持する剛的に形態維持可能なハンガー本体と、この棒状体に間隔をおいて嵌装された複数のピンチと、このピンチの間に設けられた間隔を置く手段とにより構成され、このピンチは二つの挟持体と弾力材により構成され、これらの二つの挟持体は中央近傍に設けられた支点において相互に回動可能に連結され、これらの二つの挟持体は弾力材により挟持部が閉じる方向に付勢され、これらの二つの挟持体の支点より上方には棒状体を挿入する嵌装孔が設けられ、この棒状体にピンチと間隔を置く手段を交互に摺動可能に嵌装させ、これらのピンチの両最外端に渡ってハンガー本体を架け渡し、このハンガー本体は第一の本体部と第二の本体部とにより構成し、第一の本体部と第二の本体部との境界は可動素子により連結し、第一の本体部の外端部には第一のピンチ押圧部を設け、第二の本体部の外端部には第二のピンチ押圧部を設け、第一の本体部の第一のピンチ押圧部と可動素子の間には第一の押圧部を設け、第二の本体部の第二のピンチ押圧部と可動素子の間には第二の押圧部を設け、第一のピンチ押圧部と第二のピンチ押圧部を棒状体の外端からピンチの最外端に嵌装した衣類ハンガーを、第一の押圧部と第二の押圧部を内側に押圧することにより、第一の本体部と第二の本体部が可動素子を中心に回転し、第一のピンチ押圧部と第二のピンチ押圧部がピンチの両最外端を押圧して、全てのピンチを解放する方法。
【発明の詳細な説明】
【技術分野】
【０００１】
この発明は、衣類を掛けて収納したり、洗濯物を吊り下げて乾燥させる衣類ハンガーに関する。
【背景技術】
【０００２】
従来から、洗濯物を乾燥させる場合は角形や丸型の枠体に多数のピンチを吊り下げた衣類ハンガーを用いていた。しかしながら、従来の衣類ハンガーでは、洗濯物を取り込む時、それぞれの洗濯物を挟んだピンチを一つひとつ開かなければならず、大変煩わしかった。
【先行技術文献】
【特許文献】
【０００３】
【特許文献１】特開平7-255995
【発明の概要】
【発明が解決しようとする課題】
【０００４】
特許文献１の従来技術は、洗濯物を一度に外そうとするものであるが、洗濯物を挟むときにピンチを開くときは、ピンチの端部でなく、ピンチの支点に近い側を指で押圧しなければならなかった（この明細書の図２のＦ１）。このため、ピンチの支点に近い側を指で押圧するには、より大きな力が必要になるという問題点があった。さらに、この従来技術では、洗濯物を挟むとき、衣類ハンガーの本体の枠体と洗濯物の間の狭い空間に指を挿入しなければならず、操作性に難点があった。また、従来技術では、使い勝手も悪く、構造が複雑で重くなり、嵩張って、価格も高くなるという問題もあった。
【課題を解決するための手段】
【０００５】
略水平に配置した棒状体と、この棒状体を支持する剛的に形態維持可能な山形のハンガー本体と、この棒状体に間隔をおいて嵌装された複数のピンチと、このピンチの間に設けられた間隔を置く手段とにより構成され、このピンチは二つの挟持体と弾力材により構成され、これらの二つの挟持体は中央近傍に設けられた支点において相互に回動可能に連結され、これらの二つの挟持体は弾力材により挟持部が閉じる方向に付勢され、これらの二つの挟持体の支点より上方には棒状体を挿入する嵌装孔が設けられ、さらにこの嵌装孔から挟持体を上方に延長して操作部を設け、この棒状体にピンチと間隔を置く手段を交互に摺動可能に嵌装させたことを特徴とする衣類ハンガーである。
【０００６】
上記の衣類ハンガーにおいて、ピンチとピンチの間の間隔を置く手段をパイプ状のスペーサーとし、操作部の長さを５ｍｍ以上としたことを特徴とする衣類ハンガーである。
【０００７】
上記の衣類ハンガーにおいて、このハンガー本体は第一の本体部と第二の本体部とにより構成し、第一の本体部と第二の本体部との境界は可動素子により連結し、第一の本体部の外端部には第一のピンチ押圧部を設け、第二の本体部の外端部には第二のピンチ押圧部を設け、第一の本体部には第一の押圧部を設け、第二の本体部には第二の押圧部を設け、第一のピンチ押圧部と第二のピンチ押圧部を棒状体の外端からピンチの最外端に嵌装したことを特徴とする衣類ハンガーである。
【０００８】
上記の衣類ハンガーにおいて、衣類ハンガーの上部中央部近傍に横方向に突出する横突起と、この横突起と対応する位置に横突起収容空間を設けたことを特徴とする衣類ハンガー。
【０００９】
略水平に配置した棒状体と、この棒状体を支持する剛的に形態維持可能なハンガー本体と、この棒状体に間隔をおいて嵌装された複数のピンチと、このピンチの間に設けられた間隔を置く手段とにより構成され、このピンチは二つの挟持体と弾力材により構成され、これらの二つの挟持体は中央近傍に設けられた支点において相互に回動可能に連結され、これらの二つの挟持体は弾力材により挟持部が閉じる方向に付勢され、これらの二つの挟持体の支点より上方には棒状体を挿入する嵌装孔が設けられ、この棒状体にピンチと間隔を置く手段を交互に摺動可能に嵌装させ、これらのピンチの両最外端に渡ってハンガー本体を架け渡し、このハンガー本体は第一の本体部と第二の本体部とにより構成し、第一の本体部と第二の本体部との境界は可動素子により連結し、第一の本体部の外端部には第一のピンチ押圧部を設け、第二の本体部の外端部には第二のピンチ押圧部を設け、第一の本体部の第一のピンチ押圧部と可動素子の間には第一の押圧部を設け、第二の本体部の第二のピンチ押圧部と可動素子の間には第二の押圧部を設け、第一のピンチ押圧部と第二のピンチ押圧部を棒状体の外端からピンチの最外端に嵌装した衣類ハンガーを、第一の押圧部と第二の押圧部を内側に押圧することにより、第一の本体部と第二の本体部が可動素子を中心に回転し、第一のピンチ押圧部と第二のピンチ押圧部がピンチの両最外端を押圧して、全てのピンチを解放する方法である。
【発明の効果】
【００１０】
上記の問題点を解決でき、一度に全てのピンチを解放できる衣類ハンガーを提供することができる。
【図面の簡単な説明】
【００１１】
【図１】第一の実施例を示す正面図である。
【図２】図１のピンチの部分の拡大図である。
【図３】洗濯物を挟んだり、外したりする場合の操作方法を示す正面図である。
【図４】第一の実施例を示す背面図である。
【図５】第一の実施例を示す平面図である。
【図６】第一の実施例を示す底面図である。
【図７】第一の実施例を示す左側面図である。
【図８】第一の実施例を示す右側面図である。
【図９】第二の実施例の拡大図である。
【図１０】第二の実施例のスペーサーの斜視図である。
【図１１】第三の実施例を示す正面図である。
【図１２】第四の実施例を示す正面図である。
【図１３】第四の実施例の衣類ハンガーの全部のピンチを開こうとする正面図である。
【図１４】第四の実施例の衣類ハンガーの全部のピンチを開いた状態を示す正面図である。
【図１５】第五の実施例を示す正面図である。
【図１６】第六の実施例を示す正面図である。
【図１７】第七の実施例を示す正面図である。
【図１８】第八の実施例を示す正面図である。
【図１９】第九の実施例を示す正面図である。
【図２０】第十の実施例を示す正面図である。
【図２１】横突起を付けた実施例の正面図である。
【図２２】図２１のＷＷ断面を示す図である。
【図２３】本体部の断面係数を大きくした実施例の斜視図である。
【図２４】衣類ハンガーを複数設け、連結した実施例の斜視図である。
【図２５】衣類ハンガーを物干竿に掛ける状態を示す説明図である。
【発明を実施するための形態】
【００１２】
略水平に配置した棒状体と、この棒状体を支持する剛的に形態維持可能な山形のハンガー本体と、この棒状体に間隔をおいて嵌装された複数のピンチと、このピンチの間に設けられた間隔を置く手段とにより構成され、このピンチは二つの挟持体と弾力材により構成され、これらの二つの挟持体は中央近傍に設けられた支点において相互に回動可能に連結され、これらの二つの挟持体は弾力材により挟持部が閉じる方向に付勢され、これらの二つの挟持体の支点より上方には棒状体を挿入する嵌装孔が設けられ、さらにこの嵌装孔から挟持体を上方に延長して操作部を設け、この棒状体にピンチと間隔を置く手段を交互に摺動可能に嵌装させたことを特徴とする衣類ハンガーである。
【００１３】
上記の衣類ハンガーにおいて、ピンチとピンチの間の間隔を置く手段をパイプ状のスペーサーとし、操作部の長さを５ｍｍ以上としたことを特徴とする衣類ハンガーである。
【００１４】
上記の衣類ハンガーにおいて、このハンガー本体は第一の本体部と第二の本体部とにより構成し、第一の本体部と第二の本体部との境界は可動素子により連結し、第一の本体部の外端部には第一のピンチ押圧部を設け、第二の本体部の外端部には第二のピンチ押圧部を設け、第一の本体部には第一の押圧部を設け、第二の本体部には第二の押圧部を設け、第一のピンチ押圧部と第二のピンチ押圧部を棒状体の外端からピンチの最外端に嵌装したことを特徴とする衣類ハンガーである。
【００１５】
上記の衣類ハンガーにおいて、衣類ハンガーの上部中央部近傍に横方向に突出する横突起と、この横突起と対応する位置に横突起収容空間を設けたことを特徴とする衣類ハンガー。
【００１６】
略水平に配置した棒状体と、この棒状体を支持する剛的に形態維持可能なハンガー本体と、この棒状体に間隔をおいて嵌装された複数のピンチと、このピンチの間に設けられた間隔を置く手段とにより構成され、このピンチは二つの挟持体と弾力材により構成され、これらの二つの挟持体は中央近傍に設けられた支点において相互に回動可能に連結され、これらの二つの挟持体は弾力材により挟持部が閉じる方向に付勢され、これらの二つの挟持体の支点より上方には棒状体を挿入する嵌装孔が設けられ、この棒状体にピンチと間隔を置く手段を交互に摺動可能に嵌装させ、これらのピンチの両最外端に渡ってハンガー本体を架け渡し、このハンガー本体は第一の本体部と第二の本体部とにより構成し、第一の本体部と第二の本体部との境界は可動素子により連結し、第一の本体部の外端部には第一のピンチ押圧部を設け、第二の本体部の外端部には第二のピンチ押圧部を設け、第一の本体部の第一のピンチ押圧部と可動素子の間には第一の押圧部を設け、第二の本体部の第二のピンチ押圧部と可動素子の間には第二の押圧部を設け、第一のピンチ押圧部と第二のピンチ押圧部を棒状体の外端からピンチの最外端に嵌装した衣類ハンガーを、第一の押圧部と第二の押圧部を内側に押圧することにより、第一の本体部と第二の本体部が可動素子を中心に回転し、第一のピンチ押圧部と第二のピンチ押圧部がピンチの両最外端を押圧して、全てのピンチを解放する方法である。
【実施例】
【００１７】
この発明の第一の実施例を図1と図2により説明する。衣類ハンガー１０は、棒状体２３と、棒状体２３を保持するハンガー本体２０と、ピンチ３０と、間隔を置く手段であるパイプ状のスペーサー４０とにより構成されている。ハンガー本体２０は、山形のショルダー部２２と、ショルダー部２２の頂点近傍にある支持部であるフック２１とから構成され、ショルダー部２２の両端部からは棒状体２３が延在して設けられている。フック２１は、洗濯竿などに取り付けるための支持部である。
【００１８】
本体部２０は、プラスチック、金属線、木等の剛体で剛的に形成されている。したがって、鎖や、プラスチックや金属線を柔軟なリンクで結合して構成した場合と違って、本体部２０の何処を持って持ち上げても剛的に形態維持が可能である。このため、図２５に示すように、高い位置にある物干竿であっても、本体部２０の端や低部を持って、衣類ハンガー１０を掛け，外しすることが可能である。
【００１９】
洗濯物を干す場合は、ピンチ３０の操作部３６を挟んでピンチ３０を開くのであるが、図２に示すように、従来技術においては、棒状体２３より下方のＦ１を矢印のように押圧していたので、大きい操作力が必要であった。この発明においては、操作部３６を矢印Ｆｕのように押圧するので、てこの原理により軽い操作力でピンチ３０を開くことができる。
【００２０】
ピンチ３０は、二つの挟持体３１と、弾性体であるバネ３５により構成されている。二つの挟持体３１は、中央近傍に設けられた支点33において相互に枢着され、二つの挟持体３１は、バネ３５により挟持部３４が閉じる方向に付勢されている。二つの挟持体３１の支点３３より上方には嵌装孔３２が設けられ、さらに挟持体３１の嵌装孔３２の上方を延長して操作部３６を設けてある。スペーサー４０は、棒状体２３の外形より大きい貫通孔を持つパイプで構成されている。嵌装孔３２の内径は、スペーサー４０の外形より小さくしてある。嵌装孔３２には、棒状体２３を挿入、嵌装させ、ピンチ３０とピンチ３０の間にはスペーサー４０を嵌装させてある。操作部３６は、上方に延長するとは、全体の構成からして斜め上方も許容されるものとする。
【００２１】
ピンチ３０はの二つの挟持体３１は、必ずしも別部品でなくてよく、連続した樹脂で形成してもよいものとする。また、金属ワイヤを折り曲げて弾性体３５を含めて一体に形成したものを含むものとする。
【００２２】
図３により、洗濯物の取り付け方法と取り外し方法を説明する。洗濯物を取り付けるときは、Ｐのように、ピンチ３０の操作部３６を指で挟んでピンチ３０を開いて取り付ける。洗濯物を取り外すときは、ハンガー本体２０をＦａ方向に支え、最外端のピンチ３０をＦｂ方向に押して、全てのピンチ３０を一度に開いて、洗濯物を取り外すことができる。
表１により実施例の実測値を示すと、ピンチを個別にを開く操作力Ｆｕは、６６３ｇであり、従来技術Ｆｌは１340ｇであるので、操作力を４9％に軽減できる結果が得られた。
【表１】
0005543561.tif 000002
【００２３】
操作部３６の長さＬは、指が掛かる長さが必要で、表２の評価結果に示すように、最低５ｍｍ、望ましくは１０ｍｍが必要である。
【表２】
0005543561.tif 000003
【００２４】
また、従来技術のように、洗濯物とハンガー本体との狭い空間に指を入れてピンチを開くのと違い、ピンチ３０の上方の広い空間から個々のピンチ３０を操作でき、操作性も向上する。
【００２５】
なお、ピンチ３０を開く操作力を比較すると、てこの原理により、Ｆu〈Ｆｈ〈Ｆｌとなる。即ち、洗濯物を挟むときは、ピンチ３０を指先で操作するため、弱い力しか出ないのでＦuは小さい方が望ましい。一方、洗濯物を外す場合は、図３のように、多数の指で操作できるため大きな力が発揮されるので、ＦｈはＦuより多少大きくてもよい。この効果に加え、本体部２０が山形となっているため、シャツや上着を掛けることもでき、図２５に示すように、高所にある物干竿にも容易に掛け、外しができて、一本の衣類ハンガーで種々の効果を奏することができる。
【００２６】
第二の実施例を、図９、図１０により説明する。スペーサー４０は、筒状部４１と円盤状のフランジ部４２から構成されている。フランジ４２を設けたことにより、スペーサー４０が挟持体３１を押圧する力点を上方に移動し、Ｆhを小さくしたものである。このことにより、障害者やお年寄りでも軽い力で洗濯物を取り外すことができる。
【００２７】
図１１により、第三の実施例を説明する。５０は、解放補助具であり、棒状体２３に摺動可能に嵌装されている。解放補助具５０をＫ方向に押すと、最端部のピンチ３０も押されて全てのピンチ３０を開くことができる。解放補助具５０を身体、壁、床などに押し付けるだけで、全てのピンチ３０を開くことができる。
【００２８】
図１２により、片手操作可能な第四の実施例を説明する。ハンガー本体２０は、ピンチを一斉に開く解放手段を設けており、可動素子であるヒンジ７０より左側の第一の本体部２０−１と右側の第二の本体部２０−２とで構成され、ヒンジ７０により相互に枢着されている。第一の本体部２０−１と第二の本体部２０−２の下端部は、それぞれ第一のピンチ押圧部６３，第二のピンチ押圧部６４を構成している。第一のピンチ押圧部６３，第二のピンチ押圧部６４には、貫通孔が設けられ、棒状体２３が嵌装されている。棒状体２３の両最端部には抜け止め６５，６６が固着されている。抜け止め６５，６６はネジなどにより取り外し可能としておくと、壊れたピンチ３０を交換することもできる。
【００２９】
第一の本体部２０−１の略中央部のやや右寄りには、第一の押圧部６０が設けられている。第二の本体部２０−２のショルダー部２２には、第二の押圧部６１が設けられている。図１３により詳述すると、全てのピンチ３０を一度に解放する際は、手を図のように当てる。第一の押圧部６０の長さＧ１と第二の押圧部６１の長さＧ２、および距離ＬＧは、手で握ることができる寸法が必要である。第一の押圧部６０と第二の押圧部６１のなす角αは、なるべく小さい正の鋭角とした方が握り易い。
【００３０】
角αは、自由状態のとき正の角度としておくと、力を加えて握ったとき、ゼロに近い角度になるので、力を有効に加えることができる。即ち、力を加え始めるときは小さい力でもよいが、大きい力が必要である握り締めたとき、平行になる方が望ましい。Ｇ１は、少なくとも指３本、好ましくは４本が掛かれば操作がし易くなる
【００３１】
図１４は、第一の押圧部６０と第二の本体部の押圧部６１に渡って手指をかけて、力を加えて握り締めた状態を示す。第一の本体部２０ー１と第二の本体部２０−２がヒンジ７０を中心に回転し、第一の押圧部６０と第二の押圧部６１が内側に移動すると共に、第一のピンチ押圧部６３，第二のピンチ押圧部６４も内側に移動し、全てのピンチ３０を圧縮して一度に解放することができる。
【００３２】
なお、試作品での操作力は約１．８Ｋｇ前後であった。統計によると、６歳女子の平均握力は８．５５Ｋｇ，７５歳から７９歳女性の平均握力は２１．９Ｋｇであるので、子供や女性、お年寄りでも楽に操作できることが分かる。
【００３３】
このような構成にすると、洗濯物が取り付けられた衣類ハンガーを物干竿から外すため衣類ハンガーを握った手を握り締めるだけで、そのまま片手で洗濯物を衣類ハンガーから外すことができる。
【００３４】
図１５は、第一の本体部２０ー１と第二の本体部２０ー２にそれぞれ第一の押圧部６０，第二の押圧部６１を設けたものである。左右どちらからでも操作可能という利点がある。
図１６は、可動素子としてのヒンジ７０を、樹脂を薄くして剛性を落とした樹脂ヒンジとした実施例である。
図１７は、可動素子としてのヒンジ７０の代わり、棒を筒に挿入してスライド７１とした実施例である。
【００３５】
図１８は、第八の実施例であり、第一の本体部２０−１に第一の押圧部６０と、第二の本体部２０−２に第二の押圧部６１を略左右対称に設けたものである。略左右対称であるので左右どちらかでも衣類ハンガーを掴みそのまま握り締めることにより全てのピンチを開くことができる。Ｇ１、Ｇ２は、少なくとも指３本、好ましくは指４本が掛かる寸法であると操作がし易い。距離ＬＧは、親指と他の指が楽に届く範囲でなるべく大きい方が操作し易い。
【００３６】
図１９は、第八実施例の衣類ハンガーのショルダー部２２を上に上げた第九実施例である。ショルダー部２２と、ピンチ３０の隙間が空くのでピンチ３０の操作がし易い。
図２０は、ヒンジ７０として、ハンガー本体２０の樹脂を薄くして剛性を落とし樹脂ヒンジとしたものである。部品点数を減らし、製造コストを下げることができる。ヒンジ７０には、凸形状の第一の受部７０−１と凹形状の第二の受部７０−２が対向して、押圧力が掛かっても衣類ハンガーが異常変形しないようにしている。
【００３７】
図２１は、フック２１の中央の横方向に設けた横突起８０を示す。横突起８０を部屋の鴨居、窓枠、家具などの横桟Ｓに掛けて洗濯物を室内干しすることができる。
図２２は、図２１のＷＷ断面の詳細を示す。横突起８０は、フック２１の中央から略直角に水平方法に延在させてある。横突起８０の水平方向の反対側には、横突起８０より大きい空間を有する横突起収容空間８１が設けられている。
ＢＢのように衣類ハンガーを積み重ねると、横突起８０は横突起収容空間８１に収容されて、位置決めの効果を奏するとともに、余分な突起も邪魔にならない。このことにより、複数の衣類ハンガーを乱雑に散らかることなく整然と整理することができる。また、複数の衣類ハンガーをパッケージにする場合でも、横突起８０が邪魔にならずにコンパクトにまとめることができる。また、横突起８０と横突起収容空間８１で位置決めとなるので、パッケージング作業を容易とする効果もある。
【００３８】
横突起収容空間８１を円形穴とすると、横突起８０をＢ１の方向に挿入することができる。横突起８０をＣＣのように、円形穴と導入部とで構成すると、Ｂ１の方向に挿入できるし、Ｃ１のようにも挿入することもでき自由度が広がる。
【００３９】
図２３の実施例の衣類ハンガーは、第一の押圧部６０と第二の押圧部６１を握り締めたとき、第一の本体部２０−１と第二の本体部２０−２には曲げモーメントが掛かるので、断面をコの字にして、断面係数を大きくしたものである。先端部に行くほどモーメントは小さくなるので、断面係数も小さくてよい。
【００４０】
これらの衣類ハンガーは、単体での使用を前提としているが、図２４のように、連結材で連結して使用することもできる。複数の衣類ハンガーを第三の本体部２０−３で連結してある。第三の本体部２０−３は、棒状のものでもよく、枠状のものでもよい。また、フック２１は、洗濯竿を挟むクリップ型でもよい。
【産業上の利用可能性】
【００４１】
家庭用の衣類ハンガーに限らず、農水産物や日用品や工業製品ように衣類以外のものを吊り下げたり外したりするものに広く利用可能であり、棒状体を水平でなく斜めや縦にして利用することも可能である。
【符号の説明】
【００４２】
１０は衣類ハンガー
２０はハンガー本体
２０−１は第一の本体部
２０−２は第二の本体部
２０−３は第三の本体部
２１はフック
２２はショルダー部
２３は棒状体
３０はピンチ
３１は挟持体
３２は嵌装孔
３３は支点
３４は挟持部
３５はバネ
３６は操作部
４０はスペーサー
４１は筒状部
４２はフランジ
５０は解放補助具
６０は第一の押圧部
６１は第二の押圧部
６３は第一のピンチ押圧部
６４は第二のピンチ押圧部
６５，６６は抜け止め
７０はヒンジ
８０は横突起
８１は横突起収容空間
【図１】
0005543561.tif 000004
【図２】
0005543561.tif 000005
【図３】
0005543561.tif 000006
【図４】
0005543561.tif 000007
【図５】
0005543561.tif 000008
【図６】
0005543561.tif 000009
【図７】
0005543561.tif 000010
【図８】
0005543561.tif 000011
【図９】
0005543561.tif 000012
【図１０】
0005543561.tif 000013
【図１１】
0005543561.tif 000014
【図１２】
0005543561.tif 000015
【図１３】
0005543561.tif 000016
【図１４】
0005543561.tif 000017
【図１５】
0005543561.tif 000018
【図１６】
0005543561.tif 000019
【図１７】
0005543561.tif 000020
【図１８】
0005543561.tif 000021
【図１９】
0005543561.tif 000022
【図２０】
0005543561.tif 000023
【図２１】
0005543561.tif 000024
【図２２】
0005543561.tif 000025
【図２３】
0005543561.tif 000026
【図２４】
0005543561.tif 000027
【図２５】
0005543561.tif 000028